(57)【要約】      （修正有）【課題】引戸を開く際に指を詰めてケガをすることが、手間がかからず、かつ、簡単な構成によって回避できる引戸の引手装置を提供する。【解決手段】引戸を開く際に指をかける指かけ体７が、引戸面に引戸が引かれる方向に沿って揺動変位可能に、かつ、ばね体１０により弾力的に付勢されて引戸面と同方向となるように取り付けられ、指かけ体の一方側にある凹み状の指かけ部９に指をかけて引戸を開くと揺動変位により指かけ体の他方側が立ち上がるように構成されている。その状態で引戸を開いていくと立ち上がった部分が他方の引戸の端面に当たり、引き戸をそれ以上開くことができないことで他方の引戸との間に指を詰めることが防止される。指を指かけ体から外すとばね体の付勢力により指かけ体は復帰し、この状態で引戸の端面を押すと最後まで開くことができる。【選択図】図３
0003212316.tif 000002
【実用新案登録請求の範囲】
【請求項１】
引戸面に設けられる引戸の引手装置であり、
前記引戸を開く際に指をかける指かけ体が、前記引戸面に前記引戸が引かれる方向に沿って揺動変位可能に、かつ、ばね体により弾力的に付勢されて前記引戸面と同方向となるように取り付けられ、前記指かけ体の一方側に指をかけて前記引戸を開く際に前記揺動変位により前記指かけ体の他方側が立ち上がることを特徴とする引戸の引手装置。
【請求項２】
前記指かけ体の一方側の表面に凹み状の指かけ部が設けられていることを特徴とする請求項１記載の引戸の引手装置。
【請求項３】
前記指かけ体の他方側の裏面に軟質樹脂製の当たり体が設けられていることを特徴とする請求項１記載の引戸の引手装置。
【考案の詳細な説明】
【技術分野】
【０００１】  この考案は、建具や家具等の引戸の引手装置に関する。
【背景技術】
【０００２】  引戸を引手に指をかけて開く場合、一杯に開いた際に他方の引戸や戸袋等との間に指を詰めてケガをする場合がある。これを防止するために、例えば、引戸面に当たり体を突出して設け、その当たり体が他方の引戸や戸袋に当たることで引戸がそれ以上開かないようにしている。
【考案の概念】
【考案が解決しようとする課題】
【０００３】  上記従来の構成では、引戸が最後まで広く開くことができない問題がある。上記当たり体が凹む構造とすることで、当たった時点で凹めて引戸の端面を押して広く開くことができるが、凹めるのに、また、復帰させるのに手間がかかることとなる。くわえて、別途、当たり体を設けるので、制作に手間がかかることになる。
【０００４】  この考案は上記の事情に鑑みて行ったもので、引戸を開く際に指を詰めてケガをすることが、手間がかからず、かつ、簡単な構成によって回避できることを可能とする引戸の引手装置を提供することを目的とする。
【課題を解決するための手段】
【０００５】  この考案では、引戸面に設けられる引戸の引手装置であり、前記引戸を開く際に指をかける指かけ体が、前記引戸面に前記引戸が引かれる方向に沿って揺動変位可能に、かつ、ばね体により弾力的に付勢されて前記引戸面と同方向となるように取り付けられ、前記指かけ体の一方側に指をかけて前記引戸を開く際に前記揺動変位により前記指かけ体の他方側が立ち上がることを特徴とする引戸の引手装置を提供する。
【０００６】  上記構成の引手装置によれば、指かけ体の一方側に指をかけて引戸を開く際に揺動変位により指かけ体の他方側が立ち上がる。その状態で引戸を開いていくとその立ち上がった部分が他方の引戸の端面等に当たり、引き戸をそれ以上開くことができないことで他方の引戸等との間に指を詰めることが防止される。指を指かけ体から外すとばね体の付勢力により指かけ体は復帰し、この状態において引戸の端面を押すことで最後まで開くことができる。
【０００７】  上記指かけ体の一方側の表面に凹み状の指かけ部が設けられている構成とすることで、引戸の開き操作が容易に行われる。
【０００８】  上記指かけ体の他方側の裏面に軟質樹脂製の当たり体が設けられている構成とすることで、他方の引戸の端面等に当たった際の衝撃が吸収され、指かけ体、他方の引戸はともに損傷することが回避され、かつ、衝突音も小さくなる。
【考案の効果】
【０００９】  この考案によれば、引戸を開く際に指を詰めてケガをすることが、手間がかからず、かつ、簡単な構成によって回避できるようになる。
【図面の簡単な説明】
【００１０】
【図１】  この考案の引戸の引手装置の実施形態の外観斜視図
【図２】  この考案の引戸の引手装置の実施形態の分解斜視図
【図３】  この考案の引戸の引手装置の実施形態の横断面図
【図４】  この考案の引戸の引手装置の実施形態の取り付け説明図
【図５】  この考案の引戸の引手装置の実施形態の動作説明のための斜視図
【図６】  この考案の引戸の引手装置の実施形態の動作説明のための横断面図
【考案の好ましい実施形態】
【００１１】  図１はこの考案の引戸の引手装置の実施形態の外観斜視図、図２は同分解斜視図、図３は同横断面図である。引戸の引手装置１は前面の開放した縦長の長方形状の金属製のハウジング３と、ハウジング３の前面の開放部５を覆うように揺動可能に取り付けられる金属製指かけ体７とからなる。
【００１２】  ハウジング３の開放部５内の奥面の上下位置にはバネ装着係止部１５のそれぞれが設けられ、その間にはストッパー１６が突設されている。前面の上下位置には固定ネジ３４の差し入れ穴１７と固定穴１８とを覆うためのカバー片１９のそれぞれが、嵌め込み部４０に嵌め込み装着されている。また、ハウジング３の上下位置には支持穴２３のそれぞれが設けられている。
【００１３】  指かけ体７には表面の一方側に縦方向に凹み状態に指かけ部９が設けられ、他方側の裏面に縦方向に当たり体１１が一体に取り付けられている。当たり体１１は軟質シリコン樹脂よりなり、一方側縁に沿って傾斜面６を備え、取り付け基部８が指かけ体７の裏面に形成される篏合穴４に篏合されて接着剤で固着されることで取り付けられている。また、指かけ体７の上下両端には取り付け用の軸支穴２１のそれぞれが設けられている。
【００１４】  １３は指かけ体７の取り付け用の金属軸であり、指かけ体７は上下両端の軸支穴２１のそれぞれが金属軸１３に軸支されてハウジング３にコイルバネ（ばね体）１０のそれぞれで付勢される状態で取り付けられている。その取り付けは、ハウジング３のばね装着係止部１５のそれぞれにコイルバネ１０のそれぞれを配置するとともにハウジング３の前面の開放部５に指かけ体７を閉じ状態に配置し、金属軸１３の一端側をハウジング３の一方の支持穴２３から差し入れて指かけ体７の一方の軸支穴２１、一方のコイルバネ１０、他方のコイルバネ１０、指かけ体７の他方の軸支穴２１を通し、ハウジング３の他方の支持穴２３に差し入れて行う。金属軸１３は他端側にローレット加工１４が施されていることで、その部分がハウジング３の一方の支持穴２３に固定される。このように取り付けられることで、指かけ体７は揺動変位可能に、かつ、通常時はコイルバネ１０で復帰方向に付勢される状態に設けられ、復帰される際に裏面が開放部５内縁部に形成された支持体１３それぞれの上面に当接することで、通常時はハウジング３の前面の開放部５を覆うように位置する。
【００１５】  図４は引手装置１の引戸３０への取り付け説明図である。２個の同一形態の引手装置１が上下逆方向とされ、引戸３０の取り付け開口３２に両側からはめ込まれ、両側から引手装置１の上下部の一方において差し入れ穴１７から固定ネジ３４が差し込まれ、他方側の引手装置１の固定穴１８にねじ込まれて固定され、ハウジング３それぞれの上下のはめ込み部４０にピン４２がピン穴４４に嵌入されることでカバー片１９が装着される。
【００１６】  以下、図５、図６を参照して引手装置１の動作説明を行う。引戸３０を開くべく指かけ部９に指１００をかけて指かけ体７の一方側を押し込むと他方側が持ち上がり、その状態で引戸３０が開かれていくと突出した裏面の当たり体１１が他方の引戸４０の端面に当たり、引戸３０は停止してそれ以上開かれず、これにより指１００を引戸４０との間に詰めることが防止される。その際、当たり体１１は軟質シリコン樹脂よりなることで引戸４０の端面に当たった際の衝撃が吸収され、指かけ体７、引戸４０はともに損傷することが回避されるとともに衝突音も小さくなる。くわえて、指かけ体７が回転して傾斜面６が引戸４０の端面に相対して当たることで、引戸３０の停止が安定して行われる。上記の指かけ体７の一方側を押しこんだ際には、裏面がストッパー１６に当たることで安定支持される。次に、指１００を指かけ体７から外すとコイルバネ１０の付勢力により指かけ体７は図３に示す状態に復帰し、この状態において引戸３０の端面を押すことで最後まで開くことができる。
【符号の説明】
【００１７】１    引手装置
３    ハウジング
７    指かけ体
９    指かけ部
１０  コイルバネ（ばね体）
３０  引戸
４０  引戸
【図１】
0003212316.tif 000003
【図２】
0003212316.tif 000004
【図３】
0003212316.tif 000005
【図４】
0003212316.tif 000006
【図５】
0003212316.tif 000007
【図６】
0003212316.tif 000008